【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
配電システムの相導体線路の複数のセグメントそれぞれにおける少なくとも１つの相導体線路状況を決定するよう構成された監視システムであって、
前記相導体線路に沿った第１の位置に配置され、第１のセットの同期フェーザデータを生成するよう構成されている、第１のセンサーと、
前記相導体線路に沿った第２の位置に配置され、第２のセットの同期フェーザデータを生成するよう構成されている、第２のセンサーと、
前記第１のセットの同期フェーザデータおよび前記第２のセットの同期フェーザデータを受信し、前記相導体に電気的に接続された少なくとも１つの配電変圧器の一次側電圧を、前記少なくとも１つの配電変圧器の二次側電圧に基づき決定するよう構成されているプロセッサであって、前記第１のセットの同期フェーザデータ、前記第２のセットの同期フェーザデータ、および前記少なくとも１つの配電変圧器の前記一次側電圧に基づき、前記複数のセグメントそれぞれにおける少なくとも電力散逸を含む少なくとも１つの相導体線路状況を決定するようさらに構成されている、前記プロセッサと、
を含む、前記監視システム。
【請求項２】
前記プロセッサは、前記少なくとも１つの配電変圧器の前記二次側に電気的に接続された複数のメーターによって生成されるデータに基づき、前記少なくとも１つの配電変圧器の前記二次側電圧を決定するようさらに構成されている、請求項１に記載の監視システム。
【請求項３】
前記複数のメーターによって生成される前記データは、第１のメーターによって測定された第１のセットのメーター電圧および第１のセットのメーター電流、ならびに第２のメーターによって測定された第２のセットのメーター電圧および第２のセットのメーター電流である、請求項２に記載の監視システム。
【請求項４】
前記少なくとも１つの配電変圧器は、第１の配電変圧器および第２の配電変圧器を含み、
前記プロセッサは、前記第１の配電変圧器の前記二次側に電気的に接続された複数のメーターによって生成される前記データに基づき、前記第１の配電変圧器の二次側電圧を決定するようさらに構成されており、
前記プロセッサは、前記第２の配電変圧器の前記二次側に電気的に接続された前記複数のメーターによって生成される前記データに基づき、前記第２の配電変圧器の二次側電圧を決定するようさらに構成されている、請求項２に記載の監視システム。
【請求項５】
前記プロセッサは、前記第１のセットの同期フェーザデータ、前記第２のセットの同期フェーザデータ、および前記少なくとも１つの配電変圧器の前記一次側電圧に基づき、ある瞬間における前記複数のセグメントそれぞれにおいて散逸した前記電力を決定するよう構成されている、請求項１に記載の監視システム。
【請求項６】
前記プロセッサは、前記複数のセグメントそれぞれにおける前記決定された散逸した電力に基づき、前記複数のセグメントそれぞれの前記少なくとも１つの線路状況を決定するようさらに構成されている、請求項５に記載の監視システム。
【請求項７】
前記少なくとも１つの相導体線路状況は、線路温度分布である、請求項１に記載の監視システム。
【請求項８】
前記プロセッサは、前記少なくとも１つの配電変圧器の前記二次側電圧に電気的に接続された、通信システムのブリッジ要素による測定に基づき、前記少なくとも１つの配電変圧器の前記二次側電圧を決定するようさらに構成されている、請求項１に記載の監視システム。
【請求項９】
相導体線路の複数のセグメントそれぞれにおける少なくとも１つの状況を決定する方法であって、前記方法は、プロセッサおよびメモリを有するコンピュータデバイスによって実行可能であり、前記コンピュータデバイスは、少なくとも１つのデータ獲得デバイスまたはシステムと結び付いており、前記方法は、
前記コンピュータデバイスによって、前記相導体線路に関連する第１のセットの同期フェーザデータを受信するステップと、
前記コンピュータデバイスによって、前記相導体線路に関連する第２のセットの同期フェーザデータを受信するステップと、
前記プロセッサによって、少なくとも１つの配電変圧器の一次側電圧を、前記少なくとも１つの配電変圧器の二次側電圧に基づき決定するステップと、
前記プロセッサによって、前記第１のセットの同期フェーザデータ、前記第２のセットの同期フェーザデータ、および前記少なくとも１つの配電変圧器の前記一次側電圧に基づき、前記複数のセグメントそれぞれにおける少なくとも電力散逸を含む前記少なくとも１つの相導体線路状況を決定するステップと、
を含む方法。
【請求項１０】
前記少なくとも１つの配電変圧器の前記二次側に接続された複数のメーターからのメーターデータに基づき、前記少なくとも１つの配電変圧器の前記二次側電圧を決定するステップをさらに含む、請求項９に記載の方法。
【請求項１１】
前記少なくとも１つの配電変圧器の前記二次側に接続された複数のメーターから受信されたメーターデータに基づき前記二次側電圧を決定するステップは、第２のメーターから受信された第１のセットのメーター電圧データおよび第２のセットのメーター電流データに基づき前記二次側電圧を決定するステップを含む、請求項１０に記載の方法。
【請求項１２】
前記少なくとも１つの相導体線路状況を決定するステップは、前記第１のセットの同期フェーザデータ、前記第２のセットの同期フェーザデータ、および前記少なくとも１つの配電変圧器の前記一次側電圧に基づき、ある瞬間における前記相導体線路の複数のセグメントの個別の相導体線路状況を少なくとも１つ決定するステップを含む、請求項９に記載の方法。
【請求項１３】
前記少なくとも１つの相導体線路状況を決定するステップは、前記相導体線路の前記複数のセグメントにおける前記決定された電力散逸に基づき、前記相導体線路の温度を決定するステップをさらに含む、請求項９に記載の方法。
【請求項１４】
前記少なくとも１つの配電変圧器の前記二次側に電気的に接続された、通信システムのブリッジ要素からのデータに基づき、前記少なくとも１つの配電変圧器の前記二次側電圧を決定するステップをさらに含む、請求項９に記載の方法。
【請求項１５】
相導体線路の複数のセグメントそれぞれにおける少なくとも１つの相導体線路状況を決定するためのコンピュータ実行可能命令によりエンコードされた非一時的なコンピュータ可読媒体であって、前記コンピュータ実行可能命令は、プロセッサにより実行可能であり、前記コンピュータ可読媒体は、
前記相導体線路に関連する第１のセットの同期フェーザデータを受信するよう実行可能な命令と、
前記相導体線路に関連する第２のセットのセットの同期フェーザデータを受信するよう実行可能な命令と、
少なくとも１つの配電変圧器の一次側電圧を、前記少なくとも１つの配電変圧器の二次側電圧に基づき決定するよう実行可能な命令と、
前記第１のセットの同期フェーザデータ、前記第２のセットの同期フェーザデータ、および前記少なくとも１つの配電変圧器の前記一次側電圧に基づき、前記複数のセグメントそれぞれにおける少なくとも電力散逸を含む少なくとも１つの相導体線路状況を決定するよう実行可能な命令と、
を含む、コンピュータ可読媒体。
【請求項１６】
前記少なくとも１つの配電変圧器の前記二次側に接続された複数のメーターからのメーターデータに基づき、前記少なくとも１つの配電変圧器の前記二次側電圧を決定するよう実行可能な命令をさらに含む、請求項１５に記載のコンピュータ可読媒体。
【請求項１７】
前記少なくとも１つの配電変圧器の前記二次側電圧を決定するよう実行可能な前記命令は、第２のメーターから受信された第１のセットのメーター電圧データおよび第２のセットのメーター電流データに基づき決定するよう実行可能な命令を含む、請求項１６に記載のコンピュータ可読媒体。
【請求項１８】
前記第１のセットの同期フェーザデータ、前記第２のセットの同期フェーザデータ、および前記少なくとも１つの配電変圧器の前記一次側電圧に基づき、ある瞬間における前記相導体線路の複数のセグメントの個別の相導体線路状況を少なくとも１つ決定するべく、前記少なくとも１つの相導体線路状況を決定するよう実行可能な命令をさらに含む、請求項１５に記載のコンピュータ可読媒体。
【請求項１９】
前記少なくとも１つの相導体線路状況を決定するよう実行可能な前記命令は、前記相導体線路の前記複数のセグメントにおける前記決定された電力散逸に基づき、前記相導体線路の前記温度を決定するよう実行可能な命令をさらに含む、請求項１５に記載のコンピュータ可読媒体。
【請求項２０】
前記少なくとも１つの配電変圧器の前記二次側に電気的に接続された、通信システムのブリッジ要素からのデータに基づき、前記少なくとも１つの配電変圧器の前記二次側電圧を決定するよう実行可能な命令をさらに含む、請求項１５に記載のコンピュータ可読媒体。
【請求項２１】
同期化されたデータを取得するために配電システム内の複数のセンサーポイントを決定する方法であって、前記方法は、プロセッサおよびメモリを有するコンピュータデバイスによって実行可能であり、前記コンピュータデバイスは、少なくとも１つのデータ獲得デバイスまたはシステムと結び付いており、前記方法は、
前記プロセッサによって、配電システムを表すマップをロードするステップと、
前記プロセッサによって、第１の所定の基準に基づき、前記配電システムの第１のレベルにおいて前記マップ上の第１のセットのセンサーポイントを決定するステップと、
前記プロセッサによって、ユーザ入力基準に基づき、前記配電システムの前記第１のレベルにおいて前記マップ上の第２のセットのセンサーポイントを決定するステップであって、前記センサーポイントは、解析用の同期化されたフェーザデータを取得するよう構成されたセンサーを配置するために選択された位置を含む、前記ステップと、
を含む、前記方法。
【請求項２２】
前記第１の所定の基準に基づき、前記配電システムの第３のレベルにおいて前記マップ上の第３のセットのセンサーポイントを決定するステップと、
前記ユーザ入力基準に基づき、前記配電システムの前記第３のレベルにおいて前記マップ上の第４のセットのセンサーポイントを決定するステップと、
をさらに含む、請求項２１に記載の方法。
【請求項２３】
第２の所定の基準に基づき、前記マップ上の第５のセットのセンサーポイント、前記配電システムの前記第１、第２、および第３のレベルのうちの少なくとも１つを決定するステップをさらに含む、請求項２２に記載の方法。
【請求項２４】
前記第１の所定の基準は、契約上の義務、または配電システムの構成を含む、請求項２１に記載の方法。
【請求項２５】
前記ユーザ入力基準は、負荷分散を含む、請求項２１に記載の方法。
【請求項２６】
前記第２の所定の基準は、前記配電システム内のコンデンサーバンクの位置を含む、請求項２３に記載の方法。
【請求項２７】
前記第３のレベルは、前記配電システムのフィーダ回路から分岐する１つ以上の回路を含むラテラルレベルを含む、請求項２２に記載の方法。